(57)【要約】      （修正有）【課題】壁面に貼り直すことができるように粘着層を用いつつ、しかも面ファスナーと粘着層とを分離しづらくする壁面用面ファスナーを提供する。【解決手段】第１の基材２１ａ及び第１の基材の一面から突出する係合素子群２１ｂを含む第１の面ファスナー本体２１と、発泡体からなる貼付板であってその厚み方向の一面には前記第１の基材の他面が貼り付けられた貼付板２２と、貼付板の厚み方向の他面に形成された粘着層２３とを備える。貼付板の他面には発泡体の気泡によって凹部が形成されており、この凹部に粘着層が入り込むことから、貼付板と粘着層との連結強度が向上し、粘着層と面ファスナーとが分離し難くなる。【選択図】図２
0003194035.tif 000002
【実用新案登録請求の範囲】
【請求項１】
第１の基材（２１ａ）及び前記第１の基材（２１ａ）の一面から突出する第１の係合素子群（２１ｂ）を含む第１の面ファスナー本体（２１）と、発泡体からなる貼付板（２２）であってその厚み方向の一面には前記第１の基材（２１ａ）の他面が貼り付けられた前記貼付板（２２）と、前記貼付板（２２）の厚み方向の他面に形成された粘着層（２３）とを備えることを特徴とする壁面用面ファスナー。
【請求項２】
前記粘着層（２３）のボールタック性が２．０以下であることを特徴とする請求項１に記載の壁面用面ファスナー。
【請求項３】
前記第１の係合素子群（２１ｂ）は、ループ群であることを特徴とする請求項２に記載の壁面用面ファスナー。
【請求項４】
前記粘着層（２３）の厚み（ｔ２）が０．５〜２．０ｍｍであることを特徴とする請求項１、２又は３に記載の壁面用面ファスナー。
【考案の詳細な説明】
【技術分野】
【０００１】
本考案は、面ファスナーの裏面側に粘着層を備える壁面用面ファスナーに関する。
【背景技術】
【０００２】
壁面に何か物を取り付けようとした場合に釘を使うと、取り付けた物（以下、「取付物」と言う。）を撤去しようとしたときには釘抜き作業が煩雑であり、また撤去後に釘跡が壁面や取付物に残ることになる。そこで例えば取付物がタオルのような面ファスナー機能を有するものである場合には、壁面に対して壁面用面ファスナーを貼り付けることが考えられている。具体的な従来の壁面用面ファスナーの一例としては、面ファスナーの裏面に直に粘着剤層を備えるものが存在する（特許文献１）。
【０００３】
また、面ファスナーは有していないが、壁面に貼りつけるという点で壁面用面ファスナーに関連のある壁面用保護材の一例として、熱可塑性樹脂発泡層と熱可塑性樹脂表面層を一体に積層したものが存在する（特許文献２）。そしてこの熱可塑性樹脂発泡層を壁面に接着剤で貼り付けることが開示されている。
【先行技術文献】
【特許文献】
【０００４】
【特許文献１】実用新案登録第３１３９２６２号公報
【特許文献２】特開２００３−２４５９９２号公報
【考案の概要】
【考案が解決しようとする課題】
【０００５】
ところで特許文献１の壁面用面ファスナーは、面ファスナーを壁面に固定する手段が粘着層であるので、ある程度の回数は壁面から剥がして、貼り直すことができるが、その反面、面ファスナーと粘着層との結合強度が十分とは言い難く、粘着層と面ファスナーとが分離しやすく、時には壁面から剥がす際に粘着層の一部が残ってしまう。より詳しく言えば面ファスナーは、基材の一面に多数のループやフック等からなる係合素子群を備え、基材の他面に粘着層が形成される。そして基材の他面はほぼ平面であるので、この平面に形成された粘着層は面ファスナーから分離し易いものと言える。
【０００６】
一方、特許文献２の壁面用保護材は、面ファスナーが付いていないので、そのままでは壁面用面ファスナーとして使うことはできないが、熱可塑性樹脂表面層の上に面ファスナーを固定すれば、壁面用面ファスナーとして使用することができる。しかし壁面用保護材を基にする壁面用面ファスナーには、壁面に固定する手段がなく、自身とは別の接着剤を用いるものなので、壁面に接着すると、剥がすことが難しい。
【０００７】
本考案は上記実情を考慮して創作されたもので、その目的は、壁面に貼り直すことができるように粘着層を用いつつ、しかも面ファスナーと粘着層とを分離しづらくする壁面用ファスナーを提供することである。
【課題を解決するための手段】
【０００８】
本考案の壁面用面ファスナーは、第１の基材及び第１の基材の一面から突出する係合素子群を含む第１の面ファスナー本体と、発泡体からなる貼付板であってその厚み方向の一面には第１の基材の他面が貼り付けられた貼付板と、貼付板の厚み方向の他面に形成された粘着層とを備えることを特徴とする。
【０００９】
粘着層のボールタック性は問わないが、２．０以下であることが望ましい。
【００１０】
係合素子群は、例えばフック群、ループ群などがあるが、ループ群であることが望ましい。
【００１１】
また粘着層の厚みは問わないが、０．５〜２．０ｍｍであることが望ましい。
【考案の効果】
【００１２】
本考案の壁面用面ファスナーによれば、貼付板の他面には発泡体の気泡によって凹部が形成されており、この凹部に粘着層が入り込むことから、貼付板と粘着層との連結強度が向上し、粘着層と面ファスナーとが分離し難くなる。
【図面の簡単な説明】
【００１３】
【図１】本考案が適用された第一実施形態の壁面用面ファスナーセットを示す正面図である。
【図２】図１のII−II線断面図である。
【考案を実施するための形態】
【００１４】
本考案が適用された第一実施形態の壁面用面ファスナーセット１は図１、図２に示すように、壁面Ｗに着脱可能な壁面用面ファスナー２と、壁面用面ファスナー２に着脱可能な複数の取付物３，３，…とから構成される。
【００１５】
壁面用面ファスナー２は、第１の面ファスナー本体２１と、厚み方向の一面に第１の面ファスナー本体２１が貼り付けられた貼付板２２と、貼付板２２の厚み方向の他面に形成された粘着層２３とを備えるものである。
【００１６】
第１の面ファスナー本体２１は繊維製又は合成樹脂製であって、基礎となる布状又は板状である第１の基材２１ａと、第１の基材２１ａの厚み方向の一面から突出する第１の係合素子群２１ｂとしてのループ群とを備えるものである。
またループ群２１ｂは、多数のループ２１ｃ（輪）から構成され、多数のループ２１ｃは第１の基材２１ａの一面における多数の位置から突出している。
なお第１の係合素子群は、ループ群２１ｂの代わりに、後述するフック群３１ｂとしても良い。但しループ群２１ｂは、フック群３１ｂよりも手触り感、見た目が良いため、ループ群２１ｂを第１の係合素子群として用いることが好ましい。
【００１７】
貼付板２２は、独立気泡又は連続気泡の発泡体からなるもので、例えばウレタン、スチレン、クロロプレン、スチレンブタジエン、アクリル、塩化ビニル、ポリエチレン、イソプレン、天然ゴム等の発泡体であり、望ましくは発泡プラスチックである。
また貼付板２２は、板状であり、所定の厚みｔ１を備えている。具体的な厚みｔ１の数値は、１．０mm〜１５．０mmである。
なお貼付板２２の厚み方向の一面には第１の面ファスナー本体２１が接着剤により貼り付けられている。この接着剤の接着強度は粘着層２３よりも大きい。ここで貼付板２２の一面、他面とは、より正確に言えば、厚み方向に交差する二面であり、図示の例では貼付板２２が均一な厚みを有する板状であるので、厚み方向に直交する二面、言い換えれば平行な二面である。
【００１８】
粘着層２３は、粘着剤を貼付板２２に塗布し、乾燥させることにより形成される。貼付板２２が発泡体であることから、発泡体の気泡によって形成される微小の凹部が貼付板２２の厚み方向の二面には存在し、それゆえ厚み方向の二面は凹凸のある粗面となる。そしてこの粗面に粘着層２３の一部が入り込んで、粘着層２３と貼付板２２との結合強度が強固なものとなる。
【００１９】
また粘着層２３は、粘着力を示すボールタック性が２．０以下である。なおボールタック性の測定方法は旧ＪＩＳのＺ０２３７に準拠する。具体的な測定方法は、傾斜角が３０度の傾斜面に対して、その傾斜面の上側から下側に向かってボールの助走路（長さ１００ｍｍ）、測定部としての粘着層２３（長さ１００mm）を連続して形成する。そしてこの傾斜面の上で２／３２インチから３２／３２インチまでの鋼球（１／３１インチきざみで大きさの異なる鋼球）を転がして、測定部（粘着層２３）に止まるか否かにより、評価するものである。止まった鋼球のｎ／３２のｎの大きさでボールタック性が表される。そして本発明で用いる粘着層２３を用いた測定では、２／３２インチの鋼球が止まり、それよりも大きな鋼球が止まらなかった。従って粘着層２３のボールタック性は、２（＝２．０）以下である。
本実施例では、粘着層２３のボールタック性を２．０以下とすることで、壁面Ｗから壁面用面ファスナー２を剥がすときに、貼付板２２と粘着層２３とが一体化されたまま壁面用面ファスナー２を壁面Ｗから離すことができる。すなわち粘着層２３が壁面Ｗに残り難くなるので、壁面Ｗが汚れ難くなる。
一方ボールタック性が２．０より大きくなってしまうと、粘着力が強くなりすぎて、壁面Ｗから壁面用面ファスナー２を剥がすときに、貼付板２２と粘着層２３とが分離し、壁面Ｗに粘着層２３が残ってしまう可能性がある。
【００２０】
粘着層２３の厚みｔ２は、例えば０．５〜２．０ｍｍである。因みに、この数値は少数第二位を四捨五入した値である。
本実施例では、粘着層２３の厚みｔ２を０．５〜２．０ｍｍとすることで、壁面Ｗから壁面用面ファスナー２を剥がすときに、貼付板２２と粘着層２３とが一体化されたまま壁面用面ファスナー２を壁面Ｗから離すことができる。すなわち粘着層２３が壁面Ｗに残り難くなるので、壁面Ｗが汚れ難くなる。
一方厚みｔ２が０．５ｍｍより小さくなると、粘着力が弱くなり壁面用ファスナー２から取付物３を引き剥がした時に壁面Ｗから壁面用ファスナー２がはがれてしまう。
逆に厚みｔ２が２．０ｍｍよりも大きくなると、粘着層２３の一面（壁面Ｗに対する粘着面）が貼付板２２（貼付板２２に対する結合面）から遠くなるので、壁面Ｗから壁面用面ファスナー２を剥がすときに、貼付板２２と粘着層２３とが分離し、壁面Ｗに粘着層２３が残ってしまう可能性がある。
【００２１】
各取付物３は、取付物本体３２と、取付物本体３２に貼り付けられた第２の面ファスナー本体３１とを備える。また図示の例では、取付物３は３つであり、これら３つの取付物３を区別して説明する場合には、便宜上、第１、第２、第３の取付物３ａ，３ｂ，３ｃと称する。
【００２２】
第２の面ファスナー本体３１は繊維製又は合成樹脂製で、第１の面ファスナー本体２１に着脱可能なもので、基礎となる布状又は板状である第２の基材３１ａと、第２の基材３１ａの厚み方向の一面から突出する第２の係合素子群３１ｂとしてのフック群とを備えるものである。
なおフック群３１ｂは、第１の面ファスナー本体２１のループ群２１ｂに着脱可能なもので、多数のフック３１ｃから構成され、多数のフック３１ｃは第２の基材３１ａの一面における多数の位置から突出している。また各フック３１ｃはＪ字状であり、第２の基材３１ａから突出し、その先端側で円弧状に膨らみながら折り返すように湾曲している。
【００２３】
取付物本体３２は、第２の面ファスナー本体３１を貼り付けることができる物である。また図示の例では、取付物本体３２は、第１、第２、第３の取付物３ａ，３ｂ，３ｃ毎に異なっており、これら３つの取付物本体３２を区別して説明する場合には、便宜上、第１、第２、第３の取付物本体３３，３４，３５と称する。
第１の取付物本体３３は、コルク製の正面視三角形状の装飾板３３ａの厚み方向の一面に、発泡体からなる下地板３３ｂの厚み方向の一面を接着したものである。そして下地板３３ｂの厚み方向の他面に第２の面ファスナー本体３１の第２の基材３１ａの厚み方向の他面を接着して貼り付けたものである。
第２の取付物本体３４は、薄手の帯状の布地であり、その布地の一面に第２の面ファスナー本体３１における第２の基材３１ａの厚み方向の他面を接着して貼り付けたものである。
第３の取付物本体３５は、厚手の帯状の布地３５ａと、布地３５ａの帯幅よりも幅広い直径を有する円盤状であって樹脂製の取付板３５ｂと、取付板３５ｂと布地３５ａを連結する連結金具３５ｃと、布地３５ａに固定された装飾金具３５ｄとから構成される。
【００２４】
上記した本考案の第一実施形態の壁面用面ファスナーセット１は、次の１）〜４）のようにして鉛直面である平らな壁面Ｗに使用する。
１）まず壁面用面ファスナー２の粘着層２３が壁面Ｗに向くようにし、壁面用面ファスナー２のループ群２１ｂを手で押すことにより、粘着層２３を壁面Ｗに強固に押し付け、壁面用面ファスナー２を壁面Ｗに貼り付ける。
２）次に壁面Ｗに貼り付けた壁面用面ファスナー２に対して、取付物３の第２の面ファスナー本体３１を向け、取付物３の取付物本体３２を手で押すことにより、取付物３の第２の面ファスナー本体３１と壁面用面ファスナー２の第１の面ファスナー本体２１とを連結させ、取付物３を壁面用面ファスナー２に取り付ける。
３）取付物３を外すときには、壁面用面ファスナー２を手で押さえることなく取付物３を壁面Ｗから離れる方向に引っ張る。そうすると、取付物３のみが剥がれ、壁面用面ファスナー２は壁面Ｗに貼り付いたままである。従って壁面Ｗに対する粘着層２３の粘着力（連結強度）は、第１及び第２の面ファスナー本体２１，３１の連結強度よりも強い（大きい）ことになる。このように取付物３のみが外れるので、取付物３の着脱が容易に行える。
４）壁面用面ファスナー２を外すときには、壁面用面ファスナー２の貼付板２２を壁面Ｗから離れる方向に引っ張る。そうすると、粘着層２３と貼付板２２（発泡体）との結合強度が強固であること、粘着層２３のボールタック性が２．０以下であること、粘着層２３の厚みが０．５〜２．０ｍｍであることから、貼付板２２と粘着層２３とが一体化されたまま壁面用面ファスナー２は、壁面Ｗから離れる。
【００２５】
本考案は上記実施形態に限定されるものではなく、その趣旨を逸脱しない範囲において適宜変更可能である。
【符号の説明】
【００２６】
１  壁面用面ファスナーセット
２  壁面用面ファスナー
２１  第１の面ファスナー本体
２１ａ  第１の基材
２１ｂ  ループ群（第１の係合素子群）
２１ｃ  ループ
２２  貼付板
ｔ１  貼付板の厚み
２３  粘着層
ｔ２  粘着層の厚み
３  取付物
３ａ  第１の取付物
３ｂ  第２の取付物
３ｃ  第３の取付物
３１  第２の面ファスナー本体
３１ａ  第２の基材
３１ｂ  フック群（第２の係合素子群）
３１ｃ  フック
３２  取付物本体
３３  第１の取付物本体
３３ａ  装飾板
３３ｂ  下地板
３４  第２の取付物本体
３５  第３の取付物本体
３５ａ  布地
３５ｂ  取付板
３５ｃ  連結金具
３５ｄ  装飾金具
Ｗ  壁面
【図１】
0003194035.tif 000003
【図２】
0003194035.tif 000004